(57)【要約】【課題】蒸し調理用の冷凍食品を蒸気加熱して調理する際における加熱、冷却効率に優れ、取扱い性が良く、かつ良好な機械的強度を有する蒸し調理用の冷凍食品の包装袋を提供すること。【解決手段】筒状の樹脂フィルムの下端を封着して互いに対向する前面側のシート部と背面側のシート部との間に蒸し調理用の冷凍食品の収納部を形成し、上端を内容物の挿入用としての封着可能な挿入口とした冷凍食品用の包装袋において、前面側のシート部と背面側のシート部の両方の側方縁部を無孔領域とし、これらの無孔領域に挟まれた領域に多数の通気孔を設けた有孔領域とし、収納部の外表面積全体に占める無孔領域の割合が５０％以下であり、通気孔の径が０．４ｍｍ〜４．０ｍｍであり、有孔領域における通気孔の密度が、１０，０００〜１００，０００個／ｍ2として蒸し調理用の冷凍食品の包装袋を構成する。【選択図】図１
2015077974.tif 000002
【特許請求の範囲】
【請求項１】
筒状の樹脂フィルムの下端を封着して互いに対向する前面側のシート部と背面側のシート部からなる側壁内に蒸し調理用の冷凍食品の収納部を形成し、上端を内容物の挿入用としての封着可能な挿入口とした冷凍食品用の包装袋であって、
収納部の側壁の少なくとも１部に多数の通気孔を設けた有孔領域を設け、
通気孔の径が０．４ｍｍ〜４．０ｍｍであり、
有孔領域における通気孔の密度が、１０，０００〜１００，０００個／ｍ2である
ことを特徴とする蒸し調理用の冷凍食品の包装袋。
【請求項２】
収納部の側壁に、有孔領域と無孔領域を設けた請求項１に記載の蒸し調理用の冷凍食品の包装袋。
【請求項３】
収納部の側壁の外表面積全体に占める無孔領域の割合が５０％以下である請求項２に記載の蒸し調理用の冷凍食品の包装袋。
【請求項４】
前面側のシート部と背面側のシート部の両方の側方縁部を無孔領域とし、これらの無孔領域に挟まれた領域に有孔領域を設けた請求項２または３に記載の蒸し調理用の冷凍食品の包装袋。
【請求項５】
蒸気中での加熱処理用である請求項１乃至４のいずれか１項に記載の冷凍食品用の包装袋。
【請求項６】
シート状の樹脂フィルムの対向する縁部同士を封着し、２つの折り返し部を側方縁部として前面側のシート部と背面側のシート部を接続した構造を有する請求項１乃至５のいずれか１項に記載の冷凍食品用の包装袋。
【請求項７】
樹脂フィルムが熱可塑性フィルムであり、融着による封着が可能である請求項１乃至６のいずれか１項に記載の冷凍食品用の包装袋。
【請求項８】
請求項１乃至７のいずれか１項に記載の包装袋の収納部内に蒸し調理用の冷凍食品が内容物として収納され、挿入口が封着されていることを特徴とする冷凍食品包装体。
【請求項９】
請求項８に記載される冷凍食品包装体を外装で更に包装してなる冷凍物流用の梱包体。
【発明の詳細な説明】
【技術分野】
【０００１】
本発明は多数の通気孔を有する有孔領域と無孔領域とを設けた蒸し調理用の冷凍食品の包装袋及びそれを用いた冷凍食品包装体並びに梱包体に関する。
【背景技術】
【０００２】
冷凍食品の製造においては、購入者の不完全加熱に起因する食中毒等を防止する目的で、例えば餃子やシュウマイのように流通後、加熱調理を行った後に食することを前提とするものであっても、加熱処理を行った後に冷凍処理を施すことが一般的である。
【０００３】
一方、従来の冷凍食品製造においては密封包装が原則である。包装容器内の霜の発生による品位不適格を避けるために、加熱処理後の食品はいったん室温まで戻してから包装せざるを得なかった。このような背景から食品を加熱した後は凍結後に包装することが一般的であり、加熱済みの食品を未包装の状態で凍結処理するため、冷凍が完了するまでの間の菌的汚染を防ぐような配慮や設備を必要とした。
【０００４】
さらに包装後に冷凍することを妨げる要因として、内容物と包装の癒着を防止するために一定量の空気を容器内に入れた状態で密封する必要があり、この容器内の空気が断熱効果を示すことで冷凍効率を著しく下げ、冷凍食品の製造に必要な急速凍結の妨げとなるという問題があった。
【０００５】
従って、従来の冷凍食品では、未包装状態で凍結処理を行ってから包装中に密封して流通に供することが一般的であった。
【０００６】
一方、包装中に密封した冷凍食品を加熱により再現調理する場合には、電子レンジや蒸し器が利用でされている。電子レンジでの加熱の場合には、冷凍食品を封入した包装体ごと加熱処理するための包装が利用されている。例えば、特許文献１には、具と米飯成形体とからなる冷凍食品を収納する包装容器の蓋部分に脱気のための孔を設けた冷凍食品用包装容器が開示されている。また、特許文献２には、肉まん等の調理済み冷凍食品を収納した包装体に蒸気発生体と蒸気排気孔を設け、電子レンジで加熱してそのまま販売可能とした調理済み冷凍食品包装体が開示されている。
【０００７】
電子レンジでの加熱は大量処理には向いておらず、工場での大量処理、店舗での販売や飲食店での仕出しにおける混雑時への対応が充分にできない場合が多い。そこで、これらの大量処理を行う場合には、蒸し器により加熱処理が利用される場合が多い。また、冷凍食品によっては、電子レンジでの加熱では食品本来の味や食感が損なわれ、蒸し器による加熱処理が適する場合もある。
【０００８】
蒸し器を利用する加熱処理用の包装としては、特許文献３に、不織布と熱可塑性フィルムとの積層シートを熱可塑性フィルムのフィルム面を内側にして一体成型し、積層シートのフィルム面のみに直径０．１ｍｍ〜１ｍｍの孔を１０〜２５０個／ｃｍ2の配置密度であけて、通気性と加熱処理後の密封性を確保した調理用成型容器が開示されている。
【先行技術文献】
【特許文献】
【０００９】
【特許文献１】特開２０１−１２６１８１号公報
【特許文献２】特開２００１−２９２７０８号公報
【特許文献３】特許第４６９４３２９号明細書
【発明の概要】
【発明が解決しようとする課題】
【００１０】
一般に冷凍食品を加熱調理する場合は、冷凍状態の食品をそのまま加熱する方法と解凍処理を施した後に加熱する場合が存在する。従来の密封包装された加熱調理用の冷凍食品を蒸気により加熱処理する場合には、包装から冷凍食品を取り出し、これを適当な容器に移し、必要に応じてラッピングを行ってから蒸し器に入れて加熱処理を行い、店舗での販売用の容器や、飲食店での仕出し用の容器に移していた。このような手間を省くために、冷凍食品を包装に密封した状態で加熱する方法もある。しかしながら、包装内に密封された冷凍食品は蒸気により直接加熱されないため所定の温度までの加熱時間が長くなってしまう。
【００１１】
一方、特許文献３に開示される調理用の成型容器では、積層シートを構成する熱可塑性シートに設けた孔は不織布により覆われており、蒸し調理用の冷凍食品の蒸し調理に利用した場合における良好な通気性が得られない、すなわち蒸気の効果的な流入及び排出が行えない場合がある。このような良好な通気性が得られない包装においては、容器内に侵入した蒸気が効率良く容器外に排出されず、加熱後の冷却時に容器内で水滴が生じ、内容物上に落下したり、容器内が水浸しとなってしまい、内容物の品位の低下や蒸し調理後における菌の繁殖等の原因となり得る。排気が不十分な状態で加熱後の食品を放置した場合、温度や水分の面で菌の増殖に適した条件となりやすく、食中毒事故につながるケースもある。また、容器内に発生した水滴中に内容物の成分が抽出されて容器外に漏れることによる内容物の品質の劣化や加熱装置の汚染が生じる場合もある。
【００１２】
特許文献３に記載される容器のように通気用の孔を不織布で塞がずに通気性を確保した包装とすることも考えられるが、このような構成では、流通時における内容物の密封性が確保できない。更に、不織布を熱可塑性樹脂シートと複合化しない状態で特許文献３におけるように容器のほぼ全体に孔を配置した場合に、容器の機械的な強度や、加熱及び冷却における良好な効率が得られるかどうかは特許文献３からは不明である。
【００１３】
更に、特許文献３のような容器の場合、縦ピロー包装機などの包装機に適用し難い構造となっている。
【００１４】
一方、加熱調理済みであり、かつ蒸し調理用の冷凍食品の包装後の凍結処理においても、包装の通気性や熱伝導効率が良好であり霜の発生を防止でき、かつ凍結処理に対する耐性を有する蒸し調理用の冷凍食品の包装は未だ提供されていないのが現状である。
【００１５】
本発明の目的は、蒸し調理用の冷凍食品を蒸気加熱して調理する際における加熱、冷却効率に優れ、取扱い性が良く、かつ良好な機械的強度を有する蒸し調理用の冷凍食品の包装袋を提供することにある。
【００１６】
本発明の他の目的は、蒸し調理用の冷凍食品の包装後の凍結処理にも好適に対応可能な蒸し調理用の冷凍食品の包装袋を提供することにある。
【００１７】
本発明の他の目的は、上述した蒸し調理用の冷凍食品の包装袋を用いた冷凍食品包装体及びその流通用梱包体を提供することにある。
【課題を解決するための手段】
【００１８】
本発明にかかる蒸し調理用の冷凍食品の包装袋は、
筒状の樹脂フィルムの下端を封着して互いに対向する前面側のシート部と背面側のシート部からなる側壁内に蒸し調理用の冷凍食品の収納部を形成し、上端を内容物の挿入用としての封着可能な挿入口とした冷凍食品用の包装袋であって、
収納部の側壁の少なくとも１部に多数の通気孔を設けた有孔領域を設け、
通気孔の径が０．４ｍｍ〜４．０ｍｍであり、
有孔領域における通気孔の密度が、１０，０００〜１００，０００個／ｍ2である
ことを特徴とする蒸し調理用の冷凍食品の包装袋である。
【００１９】
本発明にかかる冷凍食品包装体は、上記の構成を有する包装袋の収納部内に蒸し調理用の冷凍食品が内容物として収納され、挿入口が封着されていることを特徴とする冷凍食品包装体である。
【００２０】
本発明にかかる冷凍物流用の梱包体は、上記の構成を有する冷凍食品包装体を外装で更に包装してなる冷凍物流用の梱包体である。
【発明の効果】
【００２１】
本発明の包装袋によれば、通気用の孔を所定の大きさと配置密度、所定占有面積で配置したことにより、取扱い性が良く、かつ良好な機械的強度を有する蒸し調理用の冷凍食品の包装袋を提供することが可能となる。更に、本発明の包装袋によれば、蒸し調理用の冷凍食品の包装後の凍結処理にも好適に対応可能な蒸し調理用の冷凍食品の包装袋を提供することができる。
【図面の簡単な説明】
【００２２】
【図１】本発明にかかる包装袋の構造の一例を示す図であり、（Ａ）は正面図、（Ｂ）は背面図、（Ｃ）は上端の挿入口の開口状態を示す図である。
【図２】本発明にかかる包装袋の背面におけるシートの接合方法の例を説明するための図である。
【図３】本発明にかかる包装袋の有孔領域での通気孔の配置態様を示す図であり、（Ａ）は横方向の各例における孔が縦方向で直線状に並んだ配置を、（Ｂ）は横方向の列の上下に隣接する２つの例における孔が縦方向において互い違いに配列された配置を示す図である。
【図４】加熱処理効果を検証するための温度センサーの食品中での配置位置を示す図である。
【発明を実施するための形態】
【００２３】
本発明にかかる包装袋は、シート状の樹脂フィルムを筒状とし、下端を封着して前面側のシート部と背面側のシート部の間に収納部を設けた構造を有する。従って、収納部は、底部としての下端と、前面側のシート部と背面側のシート部からなる側壁とにより区画された領域内に形成されている。
【００２４】
この収納部の側壁の少なくとも１部、すなわち、側壁の全面に、または部分的に１つのあるいは複数の有孔領域が設けられている。この有孔領域の有する孔はフィルムシートを貫通した通気孔として機能するものである。
【００２５】
収納部の側壁に１つまたは複数の無孔領域を設ける場合の側壁の外表面積全体に占める無孔領域の割合は好ましくは５０％以下、より好ましくは５％以上５０％以下、更に好ましくは１５％以上４５％以下とすることができる。
【００２６】
無孔領域を設ける場合の位置及びその個数は、本発明の効果が得られる範囲内で設定すればよく、特に限定されない。例えば、後述するように前面側のシート部と背面側のシート部の両方の側方縁部を無孔領域とし、これらの無孔領域に挟まれた領域に有孔領域を設ける構成は、加熱、冷却時における効率化に加えて製造時における取扱性や機械的強度を得る上で好ましい。
【００２７】
本発明にかかる包装袋は、蒸し調理用の冷凍食品の包装用の袋として用いられる。利用可能な蒸し調理用の冷凍食品としては、五目飯等の調理済米飯食品、冷凍野菜、餃子、焼売等を挙げることができる。
【００２８】
本発明にかかる包装袋の一例の構造を図１に示す。図１（Ａ）は包装袋の正面図、図１（Ｂ）は包装袋の背面図、図１（Ｃ）は包装袋の上端の挿入口を開口状態で示した図である。
【００２９】
この包装袋１は、シート状の樹脂フィルムを筒状として下端を横方向に封着して封着部３とし、前面側シート部１ａと背面側シート部１ｂからなる収納部の側壁を形成している。すなわち、これらのシート部は側方の縁２ａ、２ｂで接続されており、これにより冷凍食品を収納する収納部が形成されている。図１に示す例では、側方の縁２ａ、２ｂをシート状のフィルムの折り返し部としているが、この縁部を封着部として形成してもよい。
【００３０】
これらのシート部の側方縁２ａ及び２ｂを含む側方縁部６ａ、６ｂは、シート状のフィルムからなる無孔領域とされており、これらの側方縁部に挟まれた中央領域５ａ及び５ｂは通気孔が設けられた有孔領域とされている。
【００３１】
シート状のフィルムを筒状とする際の接合部４は、背面側シート部の横方向におけるほぼ中央部に設けられている。接合部４としては、目的とする機械的強度を包装袋に得ることができ、かつ効率良く製造可能である構造とすればよい。例えば、図２（Ａ）及び（Ｂ）に示すとおり、シート状のフィルムの一端を他端の外面で重ねて融着した構造や、あるいは合掌状に外面に向かって両端を重ねて融着し、折り返した構造等を用いることができる。
【００３２】
無孔領域６ａ、６ｂの面積の、収納部の側壁外表面積全体に占める割合は５０％以下とするのが好ましい。更に、この面積比は５％〜５０％がより好ましく、１５％〜４５％が更に好ましい。
【００３３】
有孔領域５ａ、５ｂに設けられるシート状のフィルムを貫通する通気孔の径は０．４ｍｍ〜４．０ｍｍの範囲から選択される。また、有孔領域における通気孔の配置密度は、１０，０００〜１００，０００個／ｍ2から選択される。
【００３４】
有孔領域内における通気孔の配置としては、蒸し調理時や凍結処理時に目的とする通気性、蒸し調理時における加熱効率、凍結処理時における凍結効率、並びにこれらの処理時及び流通時における機械的強度を達成できるように設定される。例えば、図３の（Ａ）及び（Ｂ）に示すように同一の形状及び大きさの孔を規則的に配列した配置を挙げることができる。図３（Ｂ）に示す横方向の列における各孔を縦方向において互い違い、すなわち、横方向に配列された各列ａ１〜ａ５における奇数番列ａ１、ａ３、ａ５における隣接する２つの孔の中間点に相当する位置に、偶数列ａ２、ａ４の各孔が位置する配置は、強度と機能性を両立させる上でより好ましい配置である。また、図３の（Ａ）に示す配置では各列ａ１〜ａ５の間隔をＬ１と同じとすることができ、図３の（Ｂ）に示す配置では、各方向における隣接する２つの孔の間隔をＬ２として同じにすることができる。
【００３５】
隣接する通気孔の間隔（最小距離）、例えば図３におけるＬ１、Ｌ２は、３〜１０ｍｍの範囲から選択することが好ましい。
【００３６】
包装袋を構成するシート状の樹脂フィルムとしては、融着による封止が容易である熱可塑性樹脂からなるものが好ましい。このような熱可塑性樹脂としては、低密度ポリエチレン、中密度ポリエチレン、高密度ポリエチレン、直鎖状低密度ポリエチレン、無延伸ポリプロピレン、二軸延伸ポリプロピレン、ポリエチレンテレフタレート、無延ナイロン、二軸延伸ナイロン及びポリスチレンのフィルムを挙げることができ、これらの少なくとも１種を用いて包装袋を構成する樹脂フィルムを形成することができる。また、これらの２種以上のシートを積層した複合素材を樹脂フィルムとして用いることができる。
【００３７】
複合材料としの積層フィルムとしては、外層は強度に優れるもの、内層は熱融着性に優れた素材を選択して組み合わせたものを利用できる。具体例としては、後述する実施例に示す複数の樹脂層の組合せや、ONY15/DL/LLDPE#30等を挙げることができる。これらの中では、OPP#20/DL/LLDPE#30がより好ましい。
【００３８】
包装袋を構成するシート状の樹脂フィルムの厚さは、１５〜５０μｍの範囲から選択することが好ましい。このような厚さとすることにより、フィルムの可撓性を確保し、包装袋としての取扱い性を良好なものとすることができる。
【００３９】
次に、本発明にかかる包装袋を用いた蒸し調理用の冷凍食品包装体及び梱包体、並びにこれらの製造方法について説明する。
【００４０】
上述した構造を有する包装袋の上端の開口部としての挿入口から蒸し調理用の冷凍食品を挿入し、上端を封着して蒸し調理用の冷凍食品包装体とすることができる。
【００４１】
あるいは、上述した構造を有する包装袋の上端の開口部としての挿入口から蒸し調理用の冷凍食品の材料を挿入し、上端を封着してから、包装した状態で凍結処理を行い、蒸し調理用の冷凍食品包装体とすることができる。
【００４２】
本発明にかかる包装袋によれば、無孔領域を用いたことにより、包装袋の機械的強度を確保するとともに、縦ピロー包装機における、シート状樹脂フィルムの無孔領域を利用した吸引による引き出し、製袋及び内容物の充填封入に好適に適用可能な構造となっている。
【００４３】
更に、蒸し調理用の冷凍食品の材料を挿入し、上端を封着してから、包装した状態で凍結処理を行う場合にも、通気孔が配置された有孔領域を設けていることにより、冷凍効率を高め、霜の発生を防止することができる。すなわち、加熱調理した材料を包装袋の上端の開口部としての挿入口から挿入し、上端を封着してから、包装した状態で凍結処理を行う場合でも、材料からの霜の発生の原因となる蒸気を通気孔から効果的に外部に排出することができるので、加熱調理した材料を蒸気が出ない状態まで冷却する必要がなく、かかる冷却のための時間を大幅に低減することができる。
【００４４】
このようにして得られた蒸し調理用の冷凍食品包装体を、外部からのごみや菌の混入を防ぐための外装に封入して流通用の梱包体とすることができる。
【００４５】
このような外装としては、上述した冷凍食品包装体を密封可能であり、搬送等に適した強度や形状を有する包装であればよく、例えばナイロン製、ポリエチレン製、あるいはポリプロピレン製のガゼットタイプ袋状包装体を挙げることができる。冷凍食品包装体を外装に密封した梱包体を更に梱包用の箱などに収納して搬送や流通に供給してもよい。
【００４６】
本発明にかかる蒸し調理用の冷凍食品包装体から蒸し調理された食品の調製は、外装から冷凍食品包装体を取り出し、蒸し器内に配置して所定の加熱状態が得られるまで蒸気中で加熱処理し、目的とする供給時の温度まで冷却して包装袋から取り出すことにより行うことができる。
【００４７】
本発明にかかる蒸し調理用の冷凍食品包装袋は、蒸し調理にともなう加熱と冷却において適切な蒸気の入排出が可能となるように包装体の所定位置の一定面積に、適切な孔径及び密度の通気孔を施したデザインを持ち、高温・冷凍処理に耐える機械的な強度を有するので、上述した冷凍処理、内容物の挿入処理、流通における搬送や保存時、蒸し調理時において効率よい処理が可能となり、破損等の問題も防止することができる。
【実施例】
【００４８】
（実施例１）
冷凍鶏五目ご飯900gを、幅２００ｍｍ、収納部の深さ３３０ｍｍの以下の材質及び構造からなる包装袋にそれぞれ詰めて上端を融着し冷凍食品包装体とし、包装袋の構造の加熱時間に対する影響を検証した。
（１）試料１
従来の無孔フィルム（材質；ONY15/LLDPE50）からなる袋。
（２）試料２
既存の有孔フィルム（孔径0.3mm、孔の配置密度890000個/m2。容器全面に通気孔を有する）、からなる袋。
（３）試料３
図１に示した構造を有し、袋幅（ｗ１＋２×ｗ２）を２００ｍｍ、無孔領域の幅ｗ２を２０ｍｍ、袋の深さｗ１を３３０ｍｍ、通気孔の直径0.7mm、通気孔の配置密度40800個/m2、通気孔の配置として図３（Ｂ）としたデザインをもち、材質がOPP#20/DL/LLDPE#30である袋。
【００４９】
評価に当たっては、図４に示すように、容器内の中心位置（深さ15ｍｍ）3箇所にそれぞれ温度センサーを固定した。これらをそれぞれスチームコンベクション（設定温度100〜105℃。ホシザキ・クックエブリオ MIC-5TA3）で加熱し、容器内中心部が75℃達温になるまでの時間を比較した。その後、容器を室温下で冷却し、冷却後の内容物の品位を比較した。
【００５０】
なお、試料３として用いたOPP#20/DL/LLDPE#30の常法により測定した引張強度及び伸度は以下のとおりである。
試験片：１５ｍｍ幅のシート状フィルム
引張強度：
・有孔領域
縦：4.1kg/15mm
横：5.0kg/15mm。
・無孔領域
縦：4.1kg/15mm
横：8.3kg/15mm。
伸度
・有孔領域
縦：160%
横：18%
・無孔領域
縦：192%
横：60%
その結果、試料１については内容物が75℃達温となるまでに55分前後の時間を要した。また、試料２については、加熱後に容器孔から液体成分が外部に漏洩し、使用上不適格となった。一方、試料３については液体成分の外部への漏洩は生じず、かつ、加熱時間は12〜13分であった。
【００５１】
（実施例２）
冷凍鶏五目ご飯900gを幅２００ｍｍ、収納部の深さ３３０ｍｍの以下の材質及び構造からなる包装袋にそれぞれ詰めて上端を融着し冷凍食品包装体とし、容器内中心部が75℃達温まで蒸気中で加熱後、室温下に静置し、内容物全体の取り分けのために最低限必要となる60℃以下まで冷却されるのに要する時間を比較した。
（１）試料１
従来の無孔フィルム（材質；ONY15/LLDPE50）からなる袋。
（２）試料４
孔径0.7mm、孔の配置密度40800個/m2、材質がOPP#20/DL/LLDPE#30である有孔フィルムからなる袋（通気孔の配置として図３（Ｂ）としたデザインをもち、図１に示すような無孔領域を有していない）。
【００５２】
評価に当たっては、容器内の中心位置（深さ15ｍｍ）3箇所にそれぞれ温度センサーを固定した。これらをそれぞれスチームコンベクション（設定温度100〜105℃。北沢マルチクッカー  KMC5）で加熱した。
【００５３】
評価の結果、試料１においては、容器内下面部に位置した内容物について、過加熱による褐変が観察されたが、試料４では観察されなかった。また加熱から冷却までに要した時間は試料１が80分間だったのに対して、試料４は45分間であった。
【００５４】
以上の結果から、従来の通気孔の無い袋での加熱と比較し、孔を設けた袋では、加熱・冷却時間は約２分の１以下に短縮された。また、調理後における容器内への過剰な水分の残留、加熱ムラ、包装体の破損は生じなかった。
【産業上の利用可能性】
【００５５】
食品製造において衛生面への配慮は極めて重要である。冷凍効率が高く、菌的汚染を最小限とでき、かつ、比較的安価で高度な設備を必要としない本発明にかかる蒸し調理用の冷凍食品の包装袋及びそれを用いた冷凍食品包装体は産業的価値が高い。また、流通後、加熱調理する場合においても、加熱効率に優れ、かつ、衛生面にも考慮した本発明にかかる蒸し調理用の冷凍食品の包装袋及びそれを用いた冷凍食品包装体は冷凍食品用包装体は有用性が高い。
【符号の説明】
【００５６】
１  包装袋
１ａ  前面側シート部
１ｂ  背面側シート部
２ａ、２ｂ  側方の縁
３  下端封着部
４  背面接合部
５ａ及び５ｂ  中央領域
６ａ、６ｂ  側方縁部
【図１】
2015077974.tif 000003
【図２】
2015077974.tif 000004
【図３】
2015077974.tif 000005
【図４】
2015077974.tif 000006